(57)【特許請求の範囲】
【請求項１】
上方に展示物を展示する展示空間が形成され、床面に設置される基台と、該基台に設けられ、前記展示空間を包囲する透明なケース本体と、を備える展示ケースであって、
前記基台は、第１基台と、該第１基台に対して水平方向に相対移動させることで該第１基台に係脱可能な第２基台と、から構成され、前記展示空間の底部は、前記第１基台及び前記第２基台で形成されており、前記ケース本体は、前記第１基台に支持され、前記展示空間の周囲の一部を囲う第１ケース本体と、前記第２基台に支持され、該第２基台が前記第１基台に係合されることで、前記第１ケース本体とともに前記展示空間を包囲する第２ケース本体と、から構成され、
前記第１基台は、平面視で矩形状に形成されるとともに、前記第２基台は、相対移動方向を向く一対の側部フレームと、該一対の側部フレームを連結する連結フレームと、を有する平面視で略コ字形状に形成されおり、前記第１ケース本体は、前記第１基台に支持された１枚の側面パネルにより構成されるとともに、前記第２ケース本体は、前記第２基台の形状に沿って支持された３枚の側面パネルと、該３枚の側面パネルの上端部に亘って取り付けられる天井パネルと、から構成されることを特徴とする展示ケース。
【請求項２】
前記第１基台及び前記第２基台の形状は、互いに係合されるときに嵌合可能な形状になっており、該第１基台と該第２基台とが係合することで、前記第１ケース本体と前記第２ケース本体とが、前記展示空間を密封することを特徴とする請求項１に記載の展示ケース。
【請求項３】
前記第１基台と前記第２基台との間には、前記第１基台と前記第２基台との相対移動方向を案内するガイド部材が設けられることを特徴とする請求項１または２に記載の展示ケース。
【請求項４】
前記連結フレームには、前記床面上を転動する車輪が前記第１基台に向けて突出して設けられており、前記車輪は、前記第１基台と前記第２基台とが係合することで前記第１基台の内部に配置されることを特徴とする請求項１に記載の展示ケース。
【発明の詳細な説明】
【技術分野】
【０００１】
本発明は、上方に展示物を展示する展示空間が形成され、床面に設置される基台と、基台に設けられ、展示空間を包囲する透明なケース本体と、を備える展示ケースに関する。
【背景技術】
【０００２】
従来の展示ケースは、基台上を複数のガラス板（ケース本体）で囲むことで、基台上に形成された展示空間を包囲しており、これらガラス板のうち、展示空間の背面に位置するガラス板は、下端部が基台に対して水平方向に回転可能に枢支されたレールに水平方向にスライド移動可能に取り付けられており、レールを展示ケースの背面側に回動させた後にガラス板をレールに沿ってスライド移動させることで展示空間の背面側を開放して展示物を出納可能となっている（例えば、特許文献１参照）。
【先行技術文献】
【特許文献】
【０００３】
【特許文献１】特許第２７０９０２３号公報（第３頁、第２図）
【発明の概要】
【発明が解決しようとする課題】
【０００４】
しかしながら、特許文献１に記載の展示ケースにあっては、展示物の出納を行うために展示空間を開放するには、基台に枢支されたレールを展示ケースの背面側に回動させた後にガラス板をレールに沿ってスライド移動させる２段階の動作により、基台側に取り付けられたレールとガラス板とを互いに移動させる必要があるため、展示物の出納作業が煩雑であるという問題がある。
【０００５】
本発明は、このような問題点に着目してなされたもので、展示空間を容易に開放して展示物の出納作業を行うことができる展示ケースを提供することを目的とする。
【課題を解決するための手段】
【０００６】
前記課題を解決するために、本発明の展示ケースは、
上方に展示物を展示する展示空間が形成され、床面に設置される基台と、該基台に設けられ、前記展示空間を包囲する透明なケース本体と、を備える展示ケースであって、
前記基台は、第１基台と、該第１基台に対して水平方向に相対移動させることで該第１基台に係脱可能な第２基台と、から構成され、前記展示空間の底部は、前記第１基台及び前記第２基台で形成されており、前記ケース本体は、前記第１基台に支持され、前記展示空間の周囲の一部を囲う第１ケース本体と、前記第２基台に支持され、該第２基台が前記第１基台に係合されることで、前記第１ケース本体とともに前記展示空間を包囲する第２ケース本体と、から構成され、
前記第１基台は、平面視で矩形状に形成されるとともに、前記第２基台は、相対移動方向を向く一対の側部フレームと、該一対の側部フレームを連結する連結フレームと、を有する平面視で略コ字形状に形成されおり、前記第１ケース本体は、前記第１基台に支持された１枚の側面パネルにより構成されるとともに、前記第２ケース本体は、前記第２基台の形状に沿って支持された３枚の側面パネルと、該３枚の側面パネルの上端部に亘って取り付けられる天井パネルと、から構成されることを特徴としている。
この特徴によれば、第１基台と第２基台とを水平方向に相対移動させることで、第１基台に支持された第１ケース本体が、第２基台に支持された第２ケース本体に対して水平方向に相対移動するようになり、基台に対してケース本体を移動させることなく、展示空間を容易に開放して展示物の出納作業を行うことができる。
また、平面視でコ字形状に形成された第２基台の形状に沿って３枚の側面パネルを支持させて、さらに３枚の側面パネルの上端部に亘って天井パネルを取り付けることで、第２ケース本体を強固な構造とすることができ、第１基台と第２基台とを相対移動させる際に第２ケース本体のぐらつきを防止することができる。
【０００８】
本発明の展示ケースは、
前記第１基台及び前記第２基台の形状は、互いに係合されるときに嵌合可能な形状になっており、該第１基台と該第２基台とが係合することで、前記第１ケース本体と前記第２ケース本体とが、前記展示空間を密封することを特徴としている。
この特徴によれば、第１基台と第２基台との嵌合によってケース本体内である展示空間をケース本体の外部と遮断することができるので、展示空間内への空気の流入を防ぎ、展示空間内における展示物の状態を良好に保つことができる。
【０００９】
本発明の展示ケースは、
前記第１基台と前記第２基台との間には、前記第１基台と前記第２基台との相対移動方向を案内するガイド部材が設けられることを特徴としている。
この特徴によれば、第１基台と第２基台とをガイド部材を介して正確に係合させて展示空間を形成することができる。
【００１０】
本発明の展示ケースは、
前記連結フレームには、前記床面上を転動する車輪が前記第１基台に向けて突出して設けられており、前記車輪は、前記第１基台と前記第２基台とが係合することで前記第１基台の内部に配置されることを特徴としている。
この特徴によれば、車輪を床面上で転動させることで、第２基台と床面との間で生じる抗力を小さくして第２基台を水平方向に移動させることができるとともに、第１基台と第２基台を係合させることで、車輪を第１基台の下部に配置し、展示ケースをコンパクトに形成することができる。また、車輪を第１基台の内部に配置することで、展示ケースの外面視において、車輪を隠蔽することができ、展示ケースの外観を維持することができる。
【図面の簡単な説明】
【００１１】
【図１】実施例における展示ケースを示す斜視図である。
【図２】展示空間を開放した状態の展示ケースを示す斜視図である。
【図３】基台を示す平面図である。
【図４】図３における展示ケースを示すＡ−Ａ断面図である。
【図５】図３における展示ケースを示すＢ−Ｂ断面図である。
【図６】展示物の出納作業中の展示ケースを示す側面図である。
【図７】変形例１としての展示ケースを示す横断面図である。
【図８】変形例２としての展示ケースを示す横断面図である。
【発明を実施するための形態】
【００１２】
本発明に係る展示ケースを実施するための形態を実施例に基づいて以下に説明する。
【実施例】
【００１３】
実施例に係る展示ケースにつき、図１から図８を参照して説明する。以下、図３の紙面下方側、図４の紙面手前側及び図５の紙面右方側を展示ケースの正面側（前方側）として説明する。図１の符号１は、本発明の適用された展示ケースである。この展示ケース１は、左右方向に長寸な略直方体形状に形成されており、主に美術館や博物館等に設置され、展示ケース１内に配置された彫刻や壺等の美術品である展示物１５（図６参照）を、鑑賞者が展示ケース１の周囲から鑑賞できるようになっている。
【００１４】
展示ケース１は、床面に設置されて平面視で略四角形状をなす基台２を有しており、基台２の上部は、底板５によって閉塞されている。また、図４及び図５に示すように、この底板５の上面には、上方に向けて開口する固定溝５ａが、平面視で略四角形状に形成されている。この固定溝５ａ内には、ガラス等の透明な材質で構成された長方形状の板体によって略直方体形状に形成された載置台６の下端部が挿通配置されている。この載置台６は、平坦面に形成された上面に展示物１５を配置可能となっており、固定溝５ａ内に接着剤等が充填されることで底板５に対して固定されている。
【００１５】
また、図２及び図５に示すように、基台２の正面側には、正面パネル７ａ（側面パネル）が配置されている。さらに、基台２の左右側部には、側面パネル７ｂ，７ｂが配置されているとともに、基台２の背面側には、背面パネル７ｃ（側面パネル）が配置されている。そして、これら正面パネル７ａ、側面パネル７ｂ，７ｂ及び背面パネル７ｃの上方には、天井パネル７ｄが配置されており、これら正面パネル７ａ、側面パネル７ｂ，７ｂ、背面パネル７ｃ及び天井パネル７ｄによって本発明におけるケース本体７が構成されている。
【００１６】
なお、特に図示しないが、正面パネル７ａ、側面パネル７ｂ，７ｂ、背面パネル７ｃ及び天井パネル７ｄには、飛散防止フィルムが貼り付けられている。万が一、ケース本体７が衝撃を受けて破損することがあっても、展示ケース１の周囲に正面パネル７ａ、側面パネル７ｂ，７ｂ、背面パネル７ｃ及び天井パネル７ｄの破片が、飛散防止フィルムによって飛散されることが防止されている。
【００１７】
これら正面パネル７ａ、側面パネル７ｂ，７ｂ、背面パネル７ｃ及び天井パネル７ｄは、ガラス等の透明な材質で構成された長方形状の板体となっている。そのため、基台２の上方にて正面パネル７ａ、側面パネル７ｂ，７ｂ、背面パネル７ｃ及び天井パネル７ｄと底板５とで包囲された空間は、展示物１５を展示するための展示空間８に形成されている。
【００１８】
なお、図２に示すように、本実施例にける展示空間８は、正面パネル７ａ、側面パネル７ｂ，７ｂ及び天井パネル７ｄを展示ケース１の正面側にスライド移動させることで開放されるようになっている。この展示空間８が解放された状態において、作業員等が展示空間８における展示物１５の出納作業を行うことができるようになっている。以下、本実施例における展示ケース１の構造について詳述する。
【００１９】
図３及び図５に示すように、基台２は、底板５を有する第１基台３と、第１基台３を取り囲む第２基台４と、から構成されている。このうち第１基台３は、平面視で左右幅寸法が前後幅寸法よりも長寸に形成された略四角形状に形成されており、内部に上下方向に開口する中空部３ａが形成されている。また、第１基台３の背面側端部には、本発明における第１ケース本体１２としての背面パネル７ｃが支持されている。
【００２０】
そして、第１基台３の正面側には、第１基台３の下方側を開口させる連通溝３ｂが形成されている。これら連通溝３ｂは、第１基台３内の中空部３ａと第１基台３の正面側とを連通させている。
【００２１】
さらに、第１基台３には、前後方向を向く２つの溝部３ｃが形成されている。これら溝部３ｃ，３ｃ内及び第１基台３の左右側端部には、前後方向に伸縮可能な本発明におけるガイド部材としてのスライドレール９の一端側が取り付けられている。
【００２２】
第１基台３には、右側部と左側部とのそれぞれに、前後に複数（本実施例では各２つ）の搬送用車輪１０が設けられている。これら搬送用車輪１０は、展示ケース１を美術館や博物館等の展示物１５の展示場所まで搬送するために使用される車輪である。なお、図４及び図５に示すように、展示場所まで搬送された展示ケース１は、第１基台３を床面に対して固定ボルト１１で螺着されることで、第１基台３を床面に対して移動不能に固定されるようになっている。
【００２３】
一方、図３に示すように、第２基台４は、前後方向を向く一対の側部フレーム４ａ，４ａを有している。これら側部フレーム４ａ，４ａの前端部間は、左右方向を向く連結フレーム４ｂによって連結されている。そのため、第２基台４は、平面視で背面側に開口された略コ字形状に形成されている。このうち、連結フレーム４ｂにおける背面側には、第２基台４の背面側に向けて２つの突出片４ｃ，４ｃが突設されており、これら突出片４ｃ，４ｃの下部には、床面を転動しつつ第２基台４を支持する車輪４ｄ，４ｄが取り付けられている。
【００２４】
また、両側部フレーム４ａ，４ａ間の左右幅寸法は、第１基台３の左右幅寸法と略同一寸法に形成されており、両側部フレーム４ａ，４ａ間に第１基台３を嵌合可能（係合可能）となっている。さらに、両側部フレーム４ａ，４ａの中央側を向く側面側及び連結フレーム４ｂの背面側には、前述したスライドレール９の他端側が取り付けられている。
【００２５】
そのため、第２基台４は、床面に固定されている第１基台３に対してスライドレール９に案内された状態で前後方向にスライド移動可能となっている。図３及び図５に示すように、第１基台３が第２基台４に嵌合されている状態では、車輪４ｄが取り付けられている両突出片４ｃ，４ｃが連通溝３ｂ，３ｂに挿通されるようになっている。
【００２６】
そのため、両車輪４ｄ，４ｄは、第１基台３が第２基台４に嵌合されている状態では、第１基台３に形成された中空部３ａ内に配置される。このとき、第２基台４は、連結フレーム４ｂの一部が展示ケース１の正面側において底板５の下方に配置されることで、第１基台３とともに展示空間８の底部を形成する。
【００２７】
図４及び図５に示すように、連結フレーム４ｂには、正面パネル７ａが支持されており、両側部フレーム４ａ，４ａには、側面パネル７ｂ，７ｂが支持されている。正面パネル７ａの左右側端部には、上下方向の略全長に亘って各側面パネル７ｂの前端部が接着剤等によって密着されている。また、正面パネル７ａ及び側面パネル７ｂ，７ｂの上端部には、天井パネル７ｄが載置されている。この天井パネル７ｄの正面側端部と正面パネル７ａの上端部、及び天井パネル７ｄの左右側端部と各側面パネル７ｂ，７ｂの上端部とは、接着剤等によって密着されている。
【００２８】
これら正面パネル７ａ、側面パネル７ｂ，７ｂ及び天井パネル７ｄが接着剤等で接続されることで、本発明における第２ケース本体１３が構成されている。さらに、図５に示すように、天井パネル７ｄ及び側面パネル７ｂ，７ｂの背面側端部には、天井パネル７ｄの左右方向の略全長及び側面パネル７ｂ，７ｂの上下方向の略全長にかけて、弾性を有するゴム等で形成されたパッキン１４が設けられている。なお、側面パネル７ｂ，７ｂ側のパッキンは図示を省略している。
【００２９】
そのため、第１基台３を、スライドレール９を介して展示ケース１の背面側にスライド移動させて第１基台３を第２基台４に嵌合させると、第２ケース本体１３が第２基台４とともに展示ケース１の背面側に向けて移動し、パッキン１４が背面パネル７ｃの正面における左右両側端部の前後方向及び上端部における左右方向の略全長にかけて弾性変形しつつ密着する。このパッキン１４の背面パネル７ｃへの密着によって、第１ケース本体１２と第２ケース本体１３とが展示空間８を密封し、展示空間８内に外部の空気が流入することが防止されるようになっている。
【００３０】
図６に示すように、このように構成された展示ケース１において、作業員等が展示空間８における展示物１５の出納作業を行うには、先ず、第２基台４を展示ケース１の正面側に向けてスライド移動させて展示空間８を解放させる。そして、作業員は、展示ケース１の背面側に配置された踏み台１６に立った状態で上方から解放された展示空間８内に手を挿し込み、載置台６の上面に展示物１５を載置、または載置台６の上面から展示物１５を取り上げる。
【００３１】
本実施例では、展示ケース１を左右方向に長寸である略直方体形状としたため、解放された展示空間８の上方から展示物１５の出納作業を行っているが、左右幅寸法が充分に短寸である展示ケースの場合では、作業員が展示ケースの側方から解放された展示空間内に手を挿し込み展示物の出納作業を行ってもよい。
【００３２】
なお、本実施例では、前述のように第１基台３に第１ケース本体１２として背面パネル７ｃを支持し、第２基台４に第２ケース本体１３として正面パネル７ａ、側面パネル７ｂ，７ｂ及び天井パネル７ｄを支持し、第２基台４を第１基台３に対して展示ケース１の前後方向にスライド移動させることで展示空間８を開放及び包囲したが、その他の形態でもよい。
【００３３】
例えば、図７に示すように、変形例１における展示ケース１７として、第１基台１８を上部に載置台６を有する平面視で略四角形状に形成するとともに、第２基台１９を展示ケース１の右側部にて前後方向を向く側部フレーム１９ａと、この側部フレーム１９ａの前端部から左右方向に延設される正面側フレーム１９ｂと、から構成される平面視で略Ｌ字状に形成してもよい。
【００３４】
この場合には、第１基台１８の背面側端部に背面パネル７ｃを支持するとともに、第１基台１８の左側端部に側面パネル７ｂを支持し、第１ケース本体２０を構成する。また、第２基台１９の正面側フレーム１９ｂに正面パネル７ａを支持し、第２基台１９の側部フレーム１９ａに側面パネル７ｂを支持するとともに、これら正面パネル７ａ及び側部フレーム１９ａの上端部に天井パネル（図示略）を配置することで第２ケース本体２１を構成する。
【００３５】
このように展示ケース１７を構成することで、第１ケース本体２０の強度を向上させることができる。さらに、図７に示すように、本変形例１では、前後方向を向くスレイドレール９が第１基台１８と第２基台１９とに取り付けられていることで、第２基台１９を第１基台１８に対して前後方向にスライド移動可能となっている。
【００３６】
なお、他の態様として、このスライドレール９を左右方向に向けて第１基台１８と第２基台１９とに取り付けることで、第２基台１９を第１基台１８に対して左右方向にスライド移動可能としてもよい。この場合には、展示空間８が展示ケース１７の正面側に向けて開放されるため、作業員等が展示ケース１７の正面側から展示物１５の出納作業を行うことができる。
【００３７】
さらに、図８に示すように、変形例２における展示ケース２２として、第１基台２３を平面視で略半円形状に形成するとともに、第２基台２４を第１基台２３の円周部を嵌合可能な円周形状に形成してもよい。
【００３８】
この場合には、第１基台２３の背面側端部に背面パネル７ｃを支持して第１ケース本体２５を構成し、第２基台２４に第２基台２４と略同一の平面視で略円周形状に形成された側面パネル２６を支持するとともに、この側面パネル２６の上端部に天井パネル（図示略）を配置することで第２ケース本体２７を構成する。
【００３９】
このように展示ケース２２を構成することで、展示ケース２２が正面側から受ける衝撃を分散する構造である曲面に形成されるので、展示ケース２２をより強固な構造とすることが可能となっている。また、この変形例２では、前記実施例と異なり、第１基台２３と第２基台２４とを連結するスライドレールが設けられておらず、車輪（図示略）によって第２基台２４を自在に移動させることができ、第２基台２４を第１基台２３から完全に分離することができる。そのため、第２基台２４及び第２ケース本体２７が出納作業の邪魔になることがない。
【００４０】
以上、本実施例における展示ケース１にあっては、基台２は、第１基台３と、第１基台３に対して水平方向に相対移動させることで第１基台３に係脱可能な第２基台４と、から構成され、展示空間８の底部は、第１基台３及び第２基台４で形成されており、ケース本体７は、第１基台３に支持され、展示空間８の周囲の一部を囲う第１ケース本体１２と、第２基台４に支持され、第２基台４が第１基台３に係合されることで、第１ケース本体１２とともに展示空間８を包囲する第２ケース本体１３と、から構成されるので、第１基台３と第２基台４とを水平方向に相対移動させることで、第１基台３に支持された第１ケース本体１２が、第２基台４に支持された第２ケース本体１３に対して水平方向に相対移動するようになり、基台２に対してケース本体７を移動させることなく、展示空間８を容易に開放して展示物１５の出納作業を行うことができる。
【００４１】
また、第１基台３は、平面視で矩形状に形成されるとともに、第２基台４は、相対移動方向を向く一対の側部フレーム４ａ，４ａと、一対の側部フレーム４ａ，４ａを連結する連結フレーム４ｂと、を有する平面視で略コ字形状に形成されおり、第１ケース本体１２は、第１基台３に支持された１枚の背面パネル７ｃにより構成されるとともに、第２ケース本体１３は、第２基台４の形状に沿って支持された３枚の正面パネル７ａ及び側面パネル７ｂ，７ｂと、３枚の正面パネル７ａ及び側面パネル７ｂ，７ｂの上端部に亘って取り付けられる天井パネル７ｄと、から構成されるので、平面視でコ字形状に形成された第２基台４の形状に沿って３枚の正面パネル７ａ及び側面パネル７ｂ，７ｂを支持させて、さらに３枚の正面パネル７ａ及び側面パネル７ｂ，７ｂの上端部に亘って天井パネル７ｄを取り付けることで、第２ケース本体１３を強固な構造とすることができ、第１基台３と第２基台４とを相対移動させる際に第２ケース本体１３のぐらつきを防止することができる。
【００４２】
また、第１基台３及び第２基台４の形状は、互いに係合されるときに嵌合可能な形状になっており、第１基台３と第２基台４とが係合することで、第１ケース本体１２と第２ケース本体１３とが、展示空間８を密封するので、第１基台３と第２基台４との嵌合によってケース本体７内である展示空間８をケース本体７の外部と遮断することができるので、展示空間８内への空気の流入を防ぎ、展示空間８内における展示物１５の状態を良好に保つことができる。
【００４３】
また、第１基台と前記第２基台との間には、前記第１基台と前記第２基台との相対移動方向を案内するガイド部材が設けられるので、第１基台と第２基台とをガイド部材を介して正確に係合させて展示空間を形成することができる。
【００４４】
また、連結フレーム４ｂには、床面上を転動する車輪４ｄが第１基台３に向けて突出して設けられており、車輪４ｄは、第１基台３と第２基台４とが係合することで第１基台３の内部に配置されるので、車輪４ｄを床面上で転動させることで、第２基台４と床面との間で生じる抗力を小さくして第２基台４を水平方向に移動させることができるとともに、第１基台３と第２基台４を係合させることで、車輪４ｄを第１基台３の下部に配置し、展示ケース１をコンパクトに形成することができる。また、車輪４ｄを第１基台３の内部に配置することで、展示ケース１の外面視において、車輪４ｄを隠蔽することができ、展示ケース１の外観を維持することができる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、底板５に載置台６を設け、この載置台６の上面に展示物１５を載置することで展示物１５の展示空間８内における展示を行ったが、展示物１５は直接底板５上に載置するようにしてもよいし、展示物１５が絵画等の場合には、背面パネル７ｃの正面側にフック等の係止部材を取り付け、この係止部材を介して展示物１５を吊持して展示するようにしてもよい。
【００４７】
また、前記実施例では、第１基台３を床面に対して移動不能に固定し、第２基台４を第１基台３に対して前後方向にスライド移動させて展示空間８の開放と包囲とを行ったが、第２基台４を床面に対して移動不能に固定し、第１基台３と底板５を、第２基台４に対して前後方向にスライド移動させることで展示空間８の開放と包囲とを行うようにしてもよい。
【符号の説明】
【００４８】
１                展示ケース
２                基台
３                第１基台
４                第２基台
４ａ              側部フレーム
４ｂ              連結フレーム
４ｄ              車輪
７                ケース体
７ａ              正面パネル（側面パネル）
７ｂ              側面パネル
７ｃ              背面パネル（側面パネル）
７ｄ              天井パネル
８                展示空間
９                スライドレール（ガイド部材）
１２              第１ケース本体
１３              第２ケース本体
１５              展示物
１７              展示ケース
１８              第１基台
１９              第２基台
１９ａ            側部フレーム
１９ｂ            正面側フレーム
２０              第１ケース本体
２１              第２ケース本体
２２              展示ケース
２３              第１基台
２４              第２基台
２５              第１ケース本体
２６              側面パネル
２７              第２ケース本体
【図１】
0005766035.tif 000002
【図２】
0005766035.tif 000003
【図３】
0005766035.tif 000004
【図４】
0005766035.tif 000005
【図５】
0005766035.tif 000006
【図６】
0005766035.tif 000007
【図７】
0005766035.tif 000008
【図８】
0005766035.tif 000009